(57)【要約】【課題】背側において、便が漏れにくい吸収性物品を提供する。【解決手段】吸収性本体（１０）と、外装体（２０）と、を有する吸収性物品（１）であって、外装体（２０）は、着用者の脚回りに沿って湾曲した切り欠き部（２０ｃ）を有し、吸収性物品（１）を展開した状態において、互いに交差する長手方向と幅方向とを有し、切り欠き部（２０ｃ）は、長手方向において、中央よりも背側に位置する背側切り欠き部（２０ｃｂ）と、中央よりも腹側に位置する腹側切り欠き部（２０ｃｆ）とを有し、外装体（２０）は、背側切り欠き部（２０ｃｂ）及び腹側切り欠き部（２０ｃｆ）の一部分（２０ｃｆｐ）に沿って連続的に設けられた脚回り弾性部材（３３）を有しており、一部分（２０ｃｆｐ）よりも長手方向の腹側において、腹側切り欠き部（２０ｃｆ）に沿った脚回り弾性部材（３３）を有していない。【選択図】図２
2020058767.tif 000002
【特許請求の範囲】
【請求項１】
吸収性本体と、前記吸収性本体の厚さ方向に重ねて配置された外装体と、を有する吸収性物品であって、
前記外装体は、着用者の脚回りに沿って湾曲した切り欠き部を有し、
前記吸収性物品を展開した状態において、互いに交差する長手方向と幅方向とを有し、
前記切り欠き部は、前記長手方向において、中央よりも背側に位置する背側切り欠き部と、前記中央よりも腹側に位置する腹側切り欠き部とを有し、
前記外装体は、
前記背側切り欠き部及び前記腹側切り欠き部の一部分に沿って連続的に設けられた脚回り弾性部材を有しており、
前記一部分よりも前記長手方向の前記腹側において、前記腹側切り欠き部に沿った脚回り弾性部材を有していない、
ことを特徴とする吸収性物品。
【請求項２】
吸収性本体と、前記吸収性本体の厚さ方向に重ねて配置された外装体と、を有する吸収性物品であって、
前記吸収性物品を展開した状態において、互いに交差する長手方向と幅方向とを有し、  背側胴回りから股下側へのびる湾曲した脚回り弾性部材を有し、
腹側胴回りから股下側へのびる湾曲した脚回り弾性部材を有しておらず、
前記脚回り弾性部材は、前記長手方向の中央位置を背側から腹側に跨いでいる、ことを特徴とする吸収性物品。
【請求項３】
請求項１または２に記載の吸収性物品であって、
前記吸収性本体は、吸収性コアを有し、
前記脚回り弾性部材は、前記幅方向の中央部で前記幅方向に沿った部分である中央領域と、前記幅方向において前記中央領域よりも外側で湾曲した部分である湾曲領域とを有し、
前記中央領域における前記脚回り弾性部材の収縮力は、前記湾曲領域における前記脚回り弾性部材の収縮力よりも小さく、
前記脚回り弾性部材のうち、前記湾曲領域の前記長手方向における前記腹側の端は、
前記幅方向において、前記吸収性コアよりも外側に位置している、ことを特徴とする吸収性物品。
【請求項４】
請求項３に記載の吸収性物品であって、
前記脚回り弾性部材は、前記中央領域において、少なくとも１カ所以上切断されている、ことを特徴とする吸収性物品。
【請求項５】
請求項１〜４のいずれか１項に記載の吸収性物品であって、
前記脚回り弾性部材は、前記幅方向の中央部で前記幅方向に沿った部分である中央領域と、前記幅方向において前記中央領域よりも外側で湾曲した部分である湾曲領域とを有し、
前記中央領域における前記脚回り弾性部材の収縮力は、前記湾曲領域における前記脚回り弾性部材の収縮力よりも小さく、
前記脚回り弾性部材のうち、前記湾曲領域の前記長手方向における前記腹側の端は、
前記長手方向において、前記外装体の前記幅方向における幅が最も狭くなる位置よりも前記腹側に位置している、ことを特徴とする吸収性物品。
【請求項６】
請求項１〜４のいずれか１項に記載の吸収性物品であって、
前記脚回り弾性部材は、前記幅方向の中央部で前記幅方向に沿った部分である中央領域と、前記幅方向において前記中央領域よりも外側で湾曲した部分である湾曲領域とを有し、
前記中央領域における前記脚回り弾性部材の収縮力は、前記湾曲領域における前記脚回り弾性部材の収縮力よりも小さく、
前記脚回り弾性部材のうち、前記湾曲領域の前記長手方向における前記腹側の端は、
前記長手方向において、前記外装体の前記幅方向における幅が最も狭くなる位置よりも前記背側に位置している、ことを特徴とする吸収性物品。
【請求項７】
請求項１〜６のいずれか１項に記載の吸収性物品であって、
前記脚回り弾性部材は、前記吸収性本体及び前記外装体とは異なる色で着色されている、ことを特徴とする吸収性物品。
【請求項８】
請求項１〜７のいずれか１項に記載の吸収性物品であって、
前記吸収性本体は、吸収性コアを有し、
前記吸収性コアには、前記吸収性コアの全体の重量の８０％以上の高吸収性ポリマーが含まれている、ことを特徴とする吸収性物品。
【請求項９】
請求項１〜８のいずれか１項に記載の吸収性物品であって、
前記吸収性本体は、吸収性コアを有し、
前記吸収性コアは、前記長手方向における所定の範囲において、前記幅方向における幅が一定である、ことを特徴とする吸収性物品。
【請求項１０】
請求項１〜９のいずれか１項に記載の吸収性物品であって、
前記長手方向において、
前記吸収性本体の中央位置は、前記外装体の中央位置よりも腹側に位置している、ことを特徴とする吸収性物品。
【請求項１１】
請求項１〜１０のいずれか１項に記載の吸収性物品であって、
前記脚回り弾性部材は、２．０〜３．５倍の伸長倍率で設けられている、ことを特徴とする吸収性物品。
【請求項１２】
請求項１１に記載の吸収性物品であって、
前記脚回り弾性部材の１００００ｍ当たりのグラム数は、１０〜４０００デシテックスである、ことを特徴とする吸収性物品。
【請求項１３】
請求項１１または１２に記載の吸収性物品であって、
前記脚回り弾性部材は、１〜３本の糸ゴムによって構成されている、ことを特徴とする吸収性物品。
【請求項１４】
請求項１〜１３のいずれか１項に記載の吸収性物品であって、
着用対象者が乳幼児または幼児である、ことを特徴とする吸収性物品。
【発明の詳細な説明】
【技術分野】
【０００１】
本発明は、吸収性物品に関する。
【背景技術】
【０００２】
従来、パンツ型の使い捨ておむつ等の吸収性物品が使用されている。そして、パンツ型使い捨ておむつとして、排泄物を吸収する吸収体と、該吸収体に重ね合わされた外装体とを有する、所謂オールインワンタイプのパンツ型おむつが知られている。このようなパンツ型おむつでは、外装体の左右方向の両側が着用者の脚繰りに沿って切り欠かれ（レッグホール）、切り欠きに沿うように脚回りゴムが設けられていることが一般的である。例えば、特許文献１には、前身頃Ａ及び後見頃Ｂの脚回りに沿って、それぞれ糸ゴム等の弾性伸縮部材１，２が設けられたパンツ型おむつが開示されている。
【先行技術文献】
【特許文献】
【０００３】
【特許文献１】特開平４−２８３６４号
【発明の概要】
【発明が解決しようとする課題】
【０００４】
従来のパンツ型おむつでは、特許文献１のように前側（腹側）及び後側（背側）の両方に糸ゴム等の脚回り弾性部材が設けられており、おむつ着用時には、当該脚回り弾性部材の収縮によって吸収体が前後に引っ張られる状態となっていた。この場合、股間部の生地が前後方向に一様に縮み、特に背側において、着用者の身体（臀部）と吸収体との間の空間が狭くなる場合があった。そして、背側において空間が狭くなると、排泄された便をおむつ内の空間に収容しきれなくなり、便が外部に漏れてしまうおそれがあった。
【０００５】
本発明は、上記のような従来の問題に鑑みてなされたものであって、その目的は、背側において、便が漏れにくい吸収性物品を提供することにある。
【課題を解決するための手段】
【０００６】
上記目的を達成するための主たる発明は、吸収性本体と、前記吸収性本体の厚さ方向に重ねて配置された外装体と、を有する吸収性物品であって、前記外装体は、着用者の脚回りに沿って湾曲した切り欠き部を有し、前記吸収性物品を展開した状態において、互いに交差する長手方向と幅方向とを有し、前記切り欠き部は、前記長手方向において、中央よりも背側に位置する背側切り欠き部と、前記中央よりも腹側に位置する腹側切り欠き部とを有し、前記外装体は、前記背側切り欠き部及び前記腹側切り欠き部の一部分に沿って連続的に設けられた脚回り弾性部材を有しており、前記一部分よりも前記長手方向の前記腹側において、前記腹側切り欠き部に沿った脚回り弾性部材を有していない、ことを特徴とする吸収性物品。
である。
本発明の他の特徴については、本明細書及び添付図面の記載により明らかにする。
【発明の効果】
【０００７】
本発明によれば、背側において、便が漏れにくい吸収性物品を提供することができる。
【図面の簡単な説明】
【０００８】
【図１】おむつ１を腹側から見た概略斜視図である。
【図２】展開且つ伸長状態であるおむつ１を肌側から見た平面図である。
【図３】図２中のＡ−Ａ断面を示す概略断面図である。
【図４】図４Ａ及び図４Ｂは、パンツ型状態のおむつ１における便収容空間ＳＰの形成について説明する図である。
【図５】脚回り弾性部材３３の具体的な配置について説明する概略平面図である。
【発明を実施するための形態】
【０００９】
本明細書及び添付図面の記載により、少なくとも以下の事項が明らかとなる。
吸収性本体と、前記吸収性本体の厚さ方向に重ねて配置された外装体と、を有する吸収性物品であって、前記外装体は、着用者の脚回りに沿って湾曲した切り欠き部を有し、前記吸収性物品を展開した状態において、互いに交差する長手方向と幅方向とを有し、前記切り欠き部は、前記長手方向において、中央よりも背側に位置する背側切り欠き部と、前記中央よりも腹側に位置する腹側切り欠き部とを有し、前記外装体は、前記背側切り欠き部及び前記腹側切り欠き部の一部分に沿って連続的に設けられた脚回り弾性部材を有しており、前記一部分よりも前記長手方向の前記腹側において、前記腹側切り欠き部に沿った脚回り弾性部材を有していない、ことを特徴とする吸収性物品。
【００１０】
このような吸収性物品によれば、背側切り欠き部に沿って配置された脚回り弾性部材が収縮するのに伴って、吸収性本体及び外装体が腹側から背側に引っ張られて生地が背側領域に集められる。そして、集められた生地が非肌側に突出するように変形して便収容空間が形成される。これにより、背側において便を収容できる空間を確保し、便を漏れにくくすることができる。
【００１１】
また、吸収性本体と、前記吸収性本体の厚さ方向に重ねて配置された外装体と、を有する吸収性物品であって、前記吸収性物品を展開した状態において、互いに交差する長手方向と幅方向とを有し、背側胴回りから股下側へのびる湾曲した脚回り弾性部材を有し、
腹側胴回りから股下側へのびる湾曲した脚回り弾性部材を有しておらず、前記脚回り弾性部材は、前記長手方向の中央位置を背側から腹側に跨いでいる、ことを特徴とする吸収性物品が明らかとなる。
【００１２】
このような吸収性物品によれば、長手方向の中央位置を背側から腹側に跨ぎつつ背側胴回りから股下側へのびる脚回り弾性部材が収縮するのに伴って、吸収性本体及び外装体が腹側から背側に引っ張られて生地が背側領域に集められる。そして、集められた生地が非肌側に突出するように変形して便収容空間が形成される。これにより、背側において便を収容できる空間を確保し、便を漏れにくくすることができる。
【００１３】
かかる吸収性物品であって、前記吸収性本体は、吸収性コアを有し、前記脚回り弾性部材は、前記幅方向の中央部で前記幅方向に沿った部分である中央領域と、前記幅方向において前記中央領域よりも外側で湾曲した部分である湾曲領域とを有し、前記中央領域における前記脚回り弾性部材の収縮力は、前記湾曲領域における前記脚回り弾性部材の収縮力よりも小さく、前記脚回り弾性部材のうち、前記湾曲領域の前記長手方向における前記腹側の端は、前記幅方向において、前記吸収性コアよりも外側に位置している、ことが望ましい。
【００１４】
このような吸収性物品によれば、脚回り弾性部材による収縮力が吸収性コアの左右方向両外側の領域に作用し、吸収性本体のうち比較的剛性の低い部分（トップシート等）が長手方向に収縮する。そして、トップシート等の収縮に応じて、吸収性コアが長手方向の背側に引っ張られやすくなる。これにより、便収容空間が形成されやすくなる。
【００１５】
かかる吸収性物品であって、前記脚回り弾性部材は、前記中央領域において、少なくとも１カ所以上切断されている、ことが望ましい。
【００１６】
このような吸収性物品によれば、脚回り弾性部材によって中央領域に作用する幅方向に沿った収縮力がより小さくなるため、該中央領域において脚回り弾性部材と重複している吸収性コアの収縮が抑制されやすくなる。したがって、吸収性物品の吸収性能をより良好なものとすることができる。
【００１７】
かかる吸収性物品であって、前記脚回り弾性部材は、前記幅方向の中央部で前記幅方向に沿った部分である中央領域と、前記幅方向において前記中央領域よりも外側で湾曲した部分である湾曲領域とを有し、前記中央領域における前記脚回り弾性部材の収縮力は、前記湾曲領域における前記脚回り弾性部材の収縮力よりも小さく、前記脚回り弾性部材のうち、前記湾曲領域の前記長手方向における前記腹側の端は、前記長手方向において、前記外装体の前記幅方向における幅が最も狭くなる位置よりも前記腹側に位置している、ことが望ましい。
【００１８】
このような吸収性物品によれば、長手方向において脚回り弾性部材による収縮力が作用する範囲が広くなり、外装体のうち、幅が最も狭くなる位置よりも背側の領域が全体的に背側に引っ張られるようになる。これにより、背側に集められる生地の面積が大きくなるため、形成される便収容空間の容量を大きくすることができる。
【００１９】
かかる吸収性物品であって、前記脚回り弾性部材は、前記幅方向の中央部で前記幅方向に沿った部分である中央領域と、前記幅方向において前記中央領域よりも外側で湾曲した部分である湾曲領域とを有し、前記中央領域における前記脚回り弾性部材の収縮力は、前記湾曲領域における前記脚回り弾性部材の収縮力よりも小さく、前記脚回り弾性部材のうち、前記湾曲領域の前記長手方向における前記腹側の端は、前記長手方向において、前記外装体の前記幅方向における幅が最も狭くなる位置よりも前記背側に位置している、ことが望ましい。
【００２０】
このような吸収性物品によれば、長手方向において脚回り弾性部材による収縮力が作用する範囲が狭くなり、外装体の腹側部分のうち背側に引っ張られる部分が少なくなる。したがって、背側（臀部側）における脚回り開口に沿った締め付けが弱くなり、肌当たりをソフトにすることができる。
【００２１】
かかる吸収性物品であって、前記脚回り弾性部材は、前記吸収性本体及び前記外装体とは異なる色で着色されている、ことが望ましい。
【００２２】
このような吸収性物品によれば、便収容空間が形成される背側（後側）において、着色された脚回り弾性部材が配置されていることにより、吸収性物品の前後が一見して把握しやすくなる。これにより、吸収性物品の前後が逆に装着されてしまうことを抑制することができる。
【００２３】
かかる吸収性物品であって、前記吸収性本体は、吸収性コアを有し、前記吸収性コアには、前記吸収性コアの全体の重量の８０％以上の高吸収性ポリマーが含まれている、ことが望ましい。
【００２４】
このような吸収性物品によれば、吸収性コアの厚みを薄くすることが可能であり、また、剛性を低くすることができる。したがって、吸収性コアが３次元的に変形しやすく、背側において便収容空間を立体的に形成させることができる。これにより、排泄された便が便収容空間内に保持されやすくなり、便が外部に漏出することをより抑制しやすくすることができる。
【００２５】
かかる吸収性物品であって、前記吸収性本体は、吸収性コアを有し、前記吸収性コアは、前記長手方向における所定の範囲において、前記幅方向における幅が一定である、ことが望ましい。
【００２６】
このような吸収性物品によれば、吸収性コアが楕円形状等である場合と比較して幅方向における長さ（幅）がほぼ一定に保たれやすく、吸収性コアによって形成される便収容空間の幅も一定に保たれやすくなる。これにより、便収容空間の内部に保持することが可能な便の容量を大きくすることが可能となり、便がより漏出しにくくなる。
【００２７】
かかる吸収性物品であって、前記長手方向において、前記吸収性本体の中央位置は、前記外装体の中央位置よりも腹側に位置している、ことが望ましい。
【００２８】
このような吸収性物品によれば、吸収性本体が予め腹側寄りに配置されていることにより、該吸収性本体が背側に引っ張られたときに、腹側における吸収性本体の面積を不足させることなく、吸収性本体の生地を背側に集めて便収容空間を形成させることができる。これにより、吸収性物品の腹側では尿を吸収しやすくし、背側では便を保持しやすくすることができる。
【００２９】
かかる吸収性物品であって、前記脚回り弾性部材は、２．０〜３．５倍の伸長倍率で設けられている、ことが望ましい。
【００３０】
このような吸収性物品によれば、吸収性本体を背側に引っ張るのに十分な収縮力が作用し、吸収性本体を腹側から背側に引っ張って便収容空間をしっかりと形成させることができる。また、収縮力が大きくなりすぎないようにすることで、脚回り弾性部材が着用者の肌（臀部）に食い込むことを抑制し、吸収性物品の着用時における不快感を着用者に生じさせにくくすることができる。
【００３１】
かかる吸収性物品であって、前記脚回り弾性部材の１００００ｍ当たりのグラム数は、１０〜４０００デシテックスである、ことが望ましい。
【００３２】
このような吸収性物品によれば、脚回り弾性部材として市販の糸ゴムを利用することが可能であるため、便収容ＳＰをしっかりと形成させつつ、材料コストを安くすることができる。
【００３３】
かかる吸収性物品であって、前記脚回り弾性部材は、１〜３本の糸ゴムによって構成されている、ことが望ましい。
【００３４】
このような吸収性物品によれば、吸収性物品の着用時において、脚回り弾性部材が切断されにくくなり、脚回り開口に沿って適切な伸縮性を発現することができる。
【００３５】
かかる吸収性物品であって、着用対象者が乳幼児または幼児である、ことが望ましい。
【００３６】
このような吸収性物品によれば、便収容空間の大きさと、脚回り弾性部材による脚回り開口の締め付けの強さとのバランスを最適化することにより、子供に着用させた場合でも、フィット性を維持しつつ、便の漏出を抑制することができる。
【００３７】
＝＝＝実施形態＝＝＝
＜おむつ１の基本構成＞
本実施形態で扱う吸収性物品の一例として、パンツ型使い捨ておむつ１（以下、「おむつ１」とも呼ぶ）の基本的な構成について説明する。図１は、おむつ１を腹側から見た概略斜視図である。図２は、展開且つ伸長状態であるおむつ１を肌側から見た平面図である。図３は、図２中のＡ−Ａ断面を示す概略断面図である。なお、図２における「伸長状態」とは、製品（おむつ１）を皺なく伸長させた状態、具体的には、おむつ１を構成する各部材（例えば、後述する吸収性本体１０や外装体２０等）の寸法がその部材単体の寸法と一致又はそれに近い長さになるまで伸長した状態のことを言う。
【００３８】
このおむつ１は、図１のパンツ型状態において、互いに直交する三方向として上下方向と左右方向と前後方向とを有している。そして、以下では、このパンツ型状態における上下方向の一方側（図１では上側）及び他方側（図１では下側）のことを、それぞれ「胴回り開口側」及び「股下側」とも言い、また、前後方向の前側及び後側のことを、それぞれ「腹側」及び「背側」とも言う。
【００３９】
一方、図２の展開状態においては、おむつ１は、互いに直交する三方向として長手方向と幅方向と厚さ方向とを有している。以下では、この展開状態における長手方向の一方側及び他方側のことを、それぞれ「腹側」及び「背側」とも言う。なお、図２の展開状態における幅方向は、図１のパンツ型状態における左右方向と同じ方向である。そのため、以下では、幅方向のことを「左右方向」とも言う。また、展開状態の長手方向は、パンツ型状態の上下方向に沿った方向である。また、図３に示すように、上下方向（長手方向）及び左右方向（幅方向）と直交する方向を「厚さ方向」とし、着用対象者の肌と当接する側を「肌側」とし、その反対側を「非肌側」とする。
【００４０】
本実施形態のおむつ１は、吸収性本体１０と、外装体２０とを有する。そして、図２の展開状態から、長手方向（上下方向）の中央位置ＣＬを折り位置として吸収性本体１０及び外装体２０が二つ折りされるとともに、この二つ折りの状態で、外装体２０の左右方向の両端部において対向する面同士がサイドエッジ部２０ｅｓ，２０ｅｓにて接合される。これにより、外装体２０がサイドエッジ部２０ｅｓにて環状に繋がって、図１に示すような胴回り開口ＢＨ及び一対の脚回り開口ＬＨ，ＬＨが形成されたパンツ型状態のおむつ１となる。
【００４１】
吸収性本体１０は、尿等の排泄物を吸収する機能を有し、図２に示されるように平面視略長方形をなし、その長手方向をおむつ１の上下方向に沿わせつつ左右方向の中央に配置されている。吸収性本体１０は、液吸収性の吸収性コア（吸収体）１１と、同吸収性コア１１の外周面を被覆するコアラップシート１２と、トップシート１３と、バックシート１４とを有する。また、吸収性本体１０の左右方向の両側には、防漏壁部５０が設けられている。
【００４２】
吸収性コア１１は、パルプ繊維等の液体吸収性繊維を所定形状に成形したものであり、その内部には重量パーセントで８０％以上の高吸収性ポリマー（所謂ＳＡＰ）が混入されている。本実施形態において、吸収性コア１１は図２に示されるような略長方形状である。コアラップシート１２は、吸収性コア１１の外周面を被覆する液透過性のシート部材であり、ティッシュペーパーや不織布等を使用可能である。但し、コアラップシート１２は必ずしも設けられていなくても良い。
【００４３】
トップシート１３は、吸収性コア１１の厚さ方向の肌側面に配置され、おむつ１の着用時に着用者の肌と当接する液透過性のシート部材（内層シート）である。本実施形態のトップシート１３は、例えば、エアスルー不織布やスパンボンド不織布等によって形成される。
【００４４】
バックシート１４は、吸収性コア１１の厚さ方向の非肌側に配置され、おむつ１の外層を構成するシート部材（外層シート）である。本実施形態において、バックシート１４は、吸収性本体１０の非肌側に配置された液不透過性且つ透湿性のシート部材であり、例えば樹脂フィルムによって形成される。バックシート１４が設けられていることによって、吸収性本体１０によって吸収された尿等の水分が着用者の衣服側に移動（浸透）することが抑制される。
【００４５】
防漏壁部５０は、吸収性本体１０の幅方向両側において、長手方向（おむつ１の上下方向）に沿って配置されている。おむつ１の着用時には、この防漏壁部５０が吸収性本体１０の幅方向の両端部から起立して、排泄物がおむつ１の外側に漏出するのを抑制する。図２に示されるように、本実施形態の防漏壁部５０は、長手方向の両端部にそれぞれ設けられた第１防漏壁接合部５１，５２、及び、幅方向の外側端部において長手方向に沿って設けられた第２防漏壁節接合部５３によって、吸収性本体１０の肌側に接合固定されている。そして、防漏壁部５０の幅方向内側端部には、糸ゴム等の防漏壁弾性部材３５が長手方向に伸長された状態で固定されており、おむつ１の着用時には防漏壁弾性部材３５の収縮力に基づいて、防漏壁部５０の幅方向内側端部領域が第２防漏壁節接合部５３を起立基点として着用者の肌側に起立する。なお、第１防漏壁接合部５１，５２、及び第２防漏壁節接合部５３は、ホットメルト接着剤等の接着剤によって形成することができる。
【００４６】
外装体２０は、肌側シート２１と非肌側シート２２とを有する。肌側シート２１は、スパンボンド不織布やＳＭＳ不織布等により形成された柔軟なシート部材であり、吸収性本体１０の肌側に設けられている。肌側シート２１の幅方向及び長手方向の中央部には、図２に示されるような長円形状に切り欠かれた長円切り欠き部２１ｈが設けられている。該長円切り欠き部２１ｈによって、吸収性本体１０（及び防漏壁部５０）の一部が厚さ方向の肌側に露出し、おむつ１の着用時において吸収性本体１０によって排泄物を吸収することが可能となる。
【００４７】
非肌側シート２２は、スパンボンド不織布やＳＭＳ不織布等により形成された柔軟なシート部材であり、吸収性本体１０を非肌側から覆うように設けられている。そして、非肌側シート２２の長手方向の両端部は、肌側シート２１の長手方向の両端部よりも外側に突出しており、突出した部分が長手方向の内側且つ厚さ方向の肌側に折り返され、折り返し部２２ｆｆ及び２２ｂｆを形成している。おむつ１では、この折り返し部２２ｆｆ及び２２ｂｆが胴回り開口ＢＨに沿って設けられ、肌側シート２１の長手方向における外縁（エッジ）を覆っている。したがって、肌側シート２１の長手方向外側のエッジが着用者の肌と直接接触することが抑制され、胴回り開口ＢＨにおいて、良好な肌触りを実現できる。
【００４８】
外装体２０の長手方向における腹側の所定の領域には、糸ゴム等の複数の腹側胴回り弾性部材３１，３１…が幅方向に伸長された状態で長手方向に所定の間隔を空けて配置されている（図２，図３参照）。該腹側胴回り弾性部材３１が発現する収縮力により、外装体２０の腹側において、幅方向（左右方向に）沿った伸縮性が付与される。同様に、外装体２０の長手方向における背側の所定の領域には、糸ゴム等の複数の背側胴回り弾性部材３２，３２…が幅方向に伸長された状態で長手方向に所定の間隔を空けて配置されている。該背側胴回り弾性部材３２が発現する収縮力により、外装体２０の背側において、幅方向（左右方向に）沿った伸縮性が付与される。
【００４９】
また、図２に示されるように、外装体２０の長手方向における両端部の間には、外装体２０の一部が幅方向の両外側から内側に切り欠かれた一対の切り欠き部２０ｃが設けられている。この一対の切り欠き部２０ｃは、パンツ型状態のおむつ１において、脚回り開口ＬＨ，ＬＨを形成する部分であり、着用者の脚回りに沿って湾曲した形状を有し、おむつ１の着用時には脚繰りに沿ったレッグギャザーを形成する部分でもある。以下では、図２の展開状態の長手方向において、切り欠き部２０ｃのうち、中央位置ＣＬよりも腹側に位置する部分を腹側切り欠き部２０ｃｆとも呼び、中央位置ＣＬよりも背側に位置する部分を背側切り欠き部２０ｃｂとも呼ぶ。
【００５０】
そして、おむつ１では、糸ゴム等の脚回り弾性部材３３が、背側切り欠き部２０ｃｂに沿って伸長された状態で配置されている。この脚回り弾性部材３３は、長手方向において、背側切り欠き部２０ｃｂの背側端部から、中央位置ＣＬを跨いで、該中央位置ＣＬよりも腹側の所定の位置まで連続的に設けられている。つまり、脚回り弾性部材３３は、長手方向において中央位置ＣＬよりも腹側の領域で、腹側切り欠き部２０ｃｆの一部分２０ｃｆｐにも沿うように配置されている。
【００５１】
一方、長手方向において、腹側切り欠き部２０ｃｆの一部分２０ｃｆｐよりも腹側の領域には、該腹側切り欠き部２０ｃｆに沿った脚回り弾性部材３３は配置されていない。この理由については、後で説明する。
【００５２】
＜脚回り弾性部材３３の機能について＞
本実施形態のおむつ１では、上述のような脚回り弾性部材３３の構成により、おむつ１を着用した際に背側領域に便（うんち）を収容する空間（便収容空間）が形成され、背側において便等の排泄物を漏れにくくすることができる。図４Ａ及び図４Ｂは、パンツ型状態のおむつ１における便収容空間ＳＰの形成について説明する図である。図４Ａは、便収容空間ＳＰが形成される前の状態を表す概略側面図であり、図４Ｂは、便収容空間ＳＰが形成された状態を表す概略側面図である。
【００５３】
着用者がおむつ１を着用すると、図４Ａのように、吸収性本体１０（吸収性コア１１）が着用者の股間に沿ってフィットした状態となる。図４Ａの状態において、吸収性本体１０と着用者の身体（肌）との間には大きな隙間が形成されておらず、吸収性本体１０は着用者の肌に密着したような状態となる。したがって、前側（腹側）において尿が排泄された場合に、吸収性コア１１によって直ちに尿（液体）を吸収することが可能であり、おむつ１の外部へ尿が漏出してしまうことが抑制される。
【００５４】
一方、後側（背側）において便が排泄された場合、便（個体）は吸収性コア１１に吸収されにくいため、吸収性本体１０の肌側表面に貯留される。ここで、おむつ１の吸収性本体１０が着用者の背側において身体と密着していた場合、着用者の肌と吸収性本体１０との間で便を貯留しておくことが可能な空間が十分に形成されないため、吸収性本体１０の表面に貯留しきれなかった便が、おむつ１の外部に漏出してしまうおそれがある。
【００５５】
これに対して、本実施形態におけるおむつ１では、脚回り開口ＬＨの背側部分に沿って配置されている脚回り弾性部材３３によって、背側切り欠き部２０ｃｂに沿った収縮力が作用する。その結果、脚回り弾性部材３３が収縮するのに伴って、吸収性本体１０及び外装体２０が股下部において腹側から背側に引っ張られる。すると、吸収性本体１０や外装体２０の生地が背側領域に集められ、背側における布面積が大きくなることによって着用者の臀部の面積に対して生地が余ったような状態となる。背側において余った生地は、非肌側に突出するように変形し、図４Ｂに示されるような便収容空間ＳＰが形成される。これにより、おむつ１では背側において便を漏れにくくすることができる。
【００５６】
さらに、おむつ１の脚回り開口ＬＨの腹側（腹側切り欠き部２０ｃｆ）には、上述の脚回り弾性部材３３に相当する弾性部材が配置されていない。すなわち、腹側切り欠き部２０ｃｆの大部分の領域では、収縮力を発現する弾性部材が設けられていないことにより、吸収性本体１０及び外装体２０を背側から腹側に引っ張る力が作用しない。したがって、吸収性本体１０や外装体２０は背側切り欠き部２０ｃｂに沿った脚回り弾性部材３３によって腹側から背側に引っ張られやすく、背側から腹側へは引っ張られにくい。これにより、吸収性本体１０等の生地が、より背側に集められやすくなり、便収容空間ＳＰを形成しやすい構造となっている。
【００５７】
また、おむつ１の脚回り弾性部材３３は、背側切り欠き部２０ｃｂから腹側切り欠き部２０ｃｆの一部分２０ｃｆｐにわたって連続的に設けられている。すなわち、脚回り弾性部材３３は、背側のサイドエッジ部２０ｅｓから背側切り欠き部２０ｃｂに沿って腹側切り欠き部２０ｃｆの一部分２０ｃｆｐまでの範囲で伸縮性を発現している。したがって、腹側切り欠き部２０ｃｆの一部分２０ｃｆｐが背側に引っ張られやすくなっており、吸収性本体１０や外装体２０の腹側部分の生地を背側へ集めやすく、便収容空間ＳＰを形成しやすい。
【００５８】
なお、脚回り弾性部材３３によって吸収性本体１０が背側に引っ張られたとしても、腹側における吸収性本体１０と着用者の肌との密着性は維持されるため、腹側において尿漏れが生じやすくなるといった問題は発生しにくい。
【００５９】
図５は、脚回り弾性部材３３の具体的な配置について説明する概略平面図である。同図５では、図２と同様に、展開且つ伸長状態のおむつ１について示している。同図５に示されるように、脚回り弾性部材３３は、長手方向において背側から腹側へ、背側切り欠き部２０ｃｂに沿って配置され、所定位置３３ｅｆ（長手方向の腹側の端）にて幅方向（左右方向）の一方側から他方側に吸収性コア１１を横切るように連続して配置されている。以下、脚回り弾性部材３３のうち、幅方向において所定位置３３ｅｆ，３３ｅｆの間で幅方向に沿って配置されている部分を「中央領域Ｒ３３ｅｃ」とする。なお、脚回り弾性部材３３が幅方向に「沿って」配置されている状態とは、脚回り弾性部材３３と幅方向とが所定の角度をなすように配置されている状態も含まれる。例えば、脚回り弾性部材３３が幅方向に対して所定の角度（例えば、４５度よりも小さい角度）で傾斜しつつ幅方向の一方側から他方側に配置されている場合や、中央領域Ｒ３３ｅｃ内で傾斜角度が変更されているような場合も含まれる。また、脚回り弾性部材３３のうち中央領域Ｒ３３ｅｃよりも幅方向の外側で、切り欠き部２０ｃに沿って湾曲して配置されている部分を「湾曲領域Ｒ３３ｅｓ」とする。
【００６０】
この脚回り弾性部材３３は、おむつ１の製造過程において、幅方向（ＭＤ方向）に搬送される外装体２０（複数の外装体２０がＭＤ方向に連なった連続体）に対して、搬送方向と交差する方向（ＣＤ方向）に糸ゴム等の弾性部材を揺動させながら配置することによって形成される。例えば、ＭＤ方向に搬送される外装体２０の連続体に対して、ＣＤ方向に一方側から他方側に移動するように糸ゴムを繰り出し、ＣＤ方向に所定位置（上述の所定位置３３ｅｆに相当）にて糸ゴムを繰り出したままＣＤ方向の移動を停止し、所定時間経過後にＣＤ方向の他方側から一方側に移動するように糸ゴムを繰り出す。その結果、図５に示されるような形状の脚回り弾性部材３３が形成される。
【００６１】
そして、上述のような工程を経て設けられた脚回り弾性部材３３では、中央領域Ｒ３３ｅｃにおいて発現する収縮力が、湾曲領域Ｒ３３ｅｓにおいて発現する収縮力よりも弱くなっている。つまり、おむつ１では、所定位置３３ｅｆ，３３ｅｆを境界として脚回り弾性部材３３による収縮力の大きさが異なっている。これは、上述の工程で糸ゴムを繰り出す際に、ＣＤ方向に移動させるときと、ＣＤ方向に移動させないときとで、糸ゴムの伸長の度合が変化するためである。
【００６２】
したがって、脚回り弾性部材３３のうち、所定位置３３ｅｆ，３３ｅｆの間の中央領域Ｒ３３ｅｃにおいて脚回り弾性部材３３と吸収性コア１１とが重複している部分では、吸収性コア１１に対して作用する脚回り弾性部材３３による幅方向の収縮力が小さくなる。これにより、幅方向（及び長手方向）において吸収性コア１１が過度に収縮することが抑制される。したがって、吸収性コア１１によって尿等の排泄物を吸収することが可能な範囲が広く保たれ、おむつ１の吸収性能を良好なものとすることができる。
【００６３】
なお、脚回り弾性部材３３は、中央領域Ｒ３３ｅｃにおいて、少なくとも１カ所以上切断されていても良い。この場合、脚回り弾性部材３３によって中央領域Ｒ３３ｅｃに作用する幅方向に沿った収縮力がより小さくなるため、吸収性コア１１の収縮がより抑制されやすくなる。したがって、おむつ１の吸収性能をより良好なものとすることができる。
【００６４】
一方、脚回り弾性部材３３のうち、所定位置３３ｅｆよりも幅方向外側の湾曲領域Ｒ３３ｅｓでは、脚回り弾性部材３３による収縮力が、背側切り欠き部２０ｃｂに沿って弱められることなく作用している。以下、中央領域Ｒ３３ｅｃと比較して、該脚回り弾性部材３３による収縮力が強く作用している湾曲領域Ｒ３３ｅｓを、脚回り弾性部材３３の「有効長」とも呼ぶ。また、脚回り弾性部材３３の有効長のうち、長手方向における腹側の端に位置している所定位置３３ｅｆを「腹側端３３ｅｆ」とも呼ぶ。本実施形態において、腹側端３３ｅｆは、脚回り弾性部材３３が湾曲している部分のうち、長手方向において最も腹側に位置している部分でもある。
【００６５】
本実施形態において腹側端３３ｅｆは、幅方向において吸収性コア１１よりも外側に位置している。つまり、脚回り弾性部材３３の有効長は吸収性コア１１と重複しておらず、脚回り弾性部材３３の収縮力が吸収性コア１１に対して直接作用することは無い。上述のように吸収性コア１１はほぼＳＡＰによって形成されているため、他の部材（トップシート１３やバックシート１４等）と比較して剛性が高い。仮に、脚回り弾性部材３３の有効長が吸収性コア１１と重複していた場合、剛性の高い吸収性コア１１は長手方向に収縮しにくいため、吸収性コア１１（吸収性本体１０）や外装体２０の生地が背側に集まりにくくなる。
【００６６】
これに対して、本実施形態では、脚回り弾性部材３３による収縮力が吸収性コア１１の左右方向両側の領域に作用し、吸収性本体１０のうち比較的剛性の低いトップシート１３やバックシート１４が長手方向に収縮する。したがって、トップシート１３等の収縮に応じて、該トップシート１３等に接合されている吸収性コア１１が長手方向の背側に引っ張られやすく、吸収性本体１０や外装体２０の生地が背側に集まりやすくなる。これにより、便収容空間ＳＰが形成されやすくなる。
【００６７】
また、吸収性コア１１の左右方向両側の領域が脚回り弾性部材３３によって長手方向に収縮するのに対して、吸収性コア１１自体は収縮しにくい。すなわち、吸収性コア１１の幅方向（左右方向）外側の領域が収縮して着用者の脚繰りにフィットするのに対して、吸収性コア１１の幅方向中央部は収縮することなく、図４Ｂのように非肌側に突出するように変形する。つまり、吸収性コア１１は、幅方向の中央の領域で非肌側に凸となるように立体的に変形する。したがって、便収容空間ＳＰは、幅方向の中央部において着用者の肌との間の隙間が大きくなり、幅方向の両側部において着用者の肌との間の隙間が小さくなる。これにより、便収容空間ＳＰの容量を十分大きく設けつつ、収容した便が横漏れすることを抑制しやすくすることができる。
【００６８】
なお、おむつ１の外装体２０は、長手方向における中央位置ＣＬよりも腹側の所定位置ＭＮにて、幅方向における幅が最も狭くなっている。すなわち、長手方向の所定位置ＭＮにおいて、腹側切り欠き部２０ｃｆによる切り欠き幅が最も大きくなっている。腹側において外装体２０の幅が最も狭くなっていることにより、おむつ１の着用時に着用者が脚を腹側（前側）に動かしやすくなる。例えば、着用者がおむつ１を着用した状態で歩行したり、着用者が乳幼児等の場合には仰向けに寝た姿勢において脚を前方に出したりする動作を妨げにくくなる。以下、この所定位置ＭＮを「最狭位置ＭＮ」とも呼ぶ。
【００６９】
本実施形態では、長手方向において、脚回り弾性部材３３の腹側端３３ｅｆが、この最狭位置ＭＮよりもさらに腹側に位置している。この場合、長手方向において脚回り弾性部材３３による収縮力が作用する範囲が広くなり、外装体２０のうち、最狭位置ＭＮよりも背側の領域が全体的に背側に引っ張られるようになる。すなわち、背側に集められる生地の面積が大きくなるため、形成される便収容空間ＳＰの容量を大きくすることができる。
【００７０】
但し、おむつ１において、脚回り弾性部材３３の腹側端３３ｅｆが、長手方向において最狭位置ＭＮよりも背側に位置するようにしても良い。この場合、長手方向において脚回り弾性部材３３による収縮力が作用する範囲が狭くなり、外装体２０の腹側部分のうち背側に引っ張られる部分が少なくなる。したがって、上述の場合と比較して便収容空間ＳＰの容量が小さくなる一方で、背側（臀部側）における脚回り開口ＬＨに沿った締め付けが弱くなるため、肌当たりをソフトにすることができる。そのため、肌が敏感な乳幼児や幼児用のおむつとして有効である。
【００７１】
また、脚回り弾性部材３３が、吸収性本体１０及び外装体２０とは異なる色で着色されていても良い。おむつ１では、脚回り弾性部材３３が主に背側切り欠き部２０ｃｂに沿って連続的に配置されており、腹側切り欠き部２０ｃｆに沿った他の弾性部材は配置されていない。したがって、例えば、脚回り弾性部材３３が赤や青等の目立つ色で着色されていれば、背側において脚回り開口ＬＨを縁取るように該脚回り弾性部材３３が視認される。これにより、使用者におむつ１の前後を認識させやすくすることができる。すなわち、便収容空間ＳＰが形成される背側（後側）に、着色された脚回り弾性部材３３が配置されていることにより、おむつ１の前後が一見して把握しやすくなり、おむつ１の前後が逆に装着されてしまうことを抑制することができる。
【００７２】
また、おむつ１の吸収性コア１１は、重量パーセント８０％以上のＳＡＰを有していることから、主にパルプ等によって形成された吸収性コアと比較して、厚みを薄くすることが可能であり、また、剛性を低くすることができる。したがって、本実施形態の吸収性コア１１は、３次元的に変形しやすく、背側において便収容空間ＳＰを立体的に形成させることができる。これにより、排泄された便が便収容空間ＳＰ内に保持（収容）されやすくなり、便が外部に漏出することをより抑制しやすくすることができる。
【００７３】
さらに、吸収性コア１１は図５に示されるような略長方形状に形成されている。言い換えると、吸収性コア１１は長手方向における所定の範囲において、幅方向の長さ（幅）が一定となるように形成されている。したがって、吸収性コアが楕円形状等である場合と比較して、吸収性コア１１によって形成される便収容空間ＳＰの幅が一定に保たれやすくなり、内部に保持することが可能な便の容量を大きくすることができる。これにより、便がより漏出しにくくなる。
【００７４】
また、おむつ１において、吸収性本体１０は長手方向の腹側に偏移して配置されている。言い換えると、長手方向において、吸収性本体１０の中央位置が、おむつ１の中央位置ＣＬよりも腹側となるように、吸収性本体１０が配置されている。吸収性本体１０が予め腹側寄りに配置されていることにより、該吸収性本体１０が背側に引っ張られたときに、腹側における吸収性本体１０の面積を不足させることなく、吸収性本体１０の生地を背側に集めて便収容空間ＳＰを広く形成させることができる。これにより、おむつ１の腹側において尿を吸収しやすくし、背側において便を保持（収容）しやすくすることができる。
【００７５】
また、脚回り弾性部材３３は、おむつ１の着用時に、背側において便収容空間ＳＰをしっかりと形成できる程度に、吸収性本体１０及び外装体２０を腹側から背側に引っ張るための収縮力を発現できるように配置されている。具体的に、本実施形態の脚回り弾性部材３３は、１０〜４０００デシテックス（ｄｔｅｘ）の糸ゴムを１〜３本（図５の例では３本）、それぞれ２．０倍〜３．５倍の伸長倍率で配置したものである。なお、「伸長倍率」とは、弾性部材（糸ゴム）の自然長を１としたときの伸び度合いを示したものであり、例えば伸長倍率が１．２の場合、弾性部材は自然長から０．２だけ伸張していることになる。
【００７６】
脚回り弾性部材３３の伸長倍率が２．０倍よりも小さいと、吸収性本体１０を背側に引っ張るのに十分な収縮力が得られず、便収容空間ＳＰをしっかりと形成することが難しくなる。一方、脚回り弾性部材３３の伸長倍率が３．５倍よりも大きいと、収縮力が大きくなりすぎて、おむつ１の着用時に該弾性部材３３が着用者の肌（臀部）に食い込みやすくなり、着用者に不快感を生じさせやすくなる。本実施形態では、脚回り弾性部材３３の伸長倍率を２．０倍〜３．５倍とすることで、吸収性本体１０を腹側から背側に引っ張って便収容空間ＳＰをしっかりと形成させつつ、おむつ１着用時における不快感を着用者に生じさせにくくすることができる。
【００７７】
また、脚回り弾性部材３３として複数（図５では３本）の糸ゴムを設けることで、おむつ１の着用時において、該脚回り弾性部材３３が切断されてしまうことを抑制し、脚回り開口ＬＨに沿って適切な伸縮性を発現できるようにしている。特に、おむつ１の着脱時に脚回り開口ＬＨが広げられたり、おむつ１を着用した状態において着用者の脚の動きによって脚回り開口ＬＨに大きな力が作用したりすることにより、脚回り開口ＬＨ（背側切り欠き部２０ｃｂ）に沿って配置された糸ゴムは切断されやすい。そこで、複数の糸ゴムを配置することによって、脚回り弾性部材３３が十分な収縮力を備えつつ、切断されにくくすることができる。
【００７８】
また、１００００ｍ当たりのグラム数が１０〜４０００デシテックス（ｄｔｅｘ）の糸ゴムを脚回り弾性部材３３として使用する場合、例えば市販のライクラ（登録商標）を利用することが可能である。市販の糸ゴムを使用することにより、便収容空間ＳＰをしっかりと形成させつつ、材料コストを安くすることができる。
【００７９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００８０】
おむつ１の着用対象者は、成人のみならず、乳幼児（生後０日〜満１歳未満の子）や幼児（満１歳〜小学校就学までの子）等の子供であっても良い。すなわち、おむつ１が子供用のおむつであっても良い。その場合、図５で説明したように、長手方向における脚回り弾性部材３３の腹側端３３ｅｆの位置を変更することにより、脚回り開口ＬＨ（背側切り欠き部２０ｃｂ）に沿って作用する収縮力の大きさを調整することが可能である。これにより、便収容空間ＳＰの大きさと、脚回り弾性部材３３による脚回り開口ＬＨの締め付けの強さとのバランスを子供用に最適化し、フィット性を維持しつつ、便漏れを抑制可能な子供用おむつを提供することができる。
【符号の説明】
【００８１】
１  おむつ（パンツ型使い捨ておむつ、吸収性物品）、
１０  吸収性本体、
１１  吸収性コア、１２  コアラップシート、１３  トップシート、１４  バックシート、
２０  外装体、
２０ｃ  切り欠き部、
２０ｃｆ  腹側切り欠き部、２０ｃｆｐ  一部分、２０ｃｂ  背側切り欠き部、
２０ｅｓ  サイドエッジ部、
２１  肌側シート、２１ｈ  長円切り欠き部、
２２  非肌側シート、２２ｆｆ  折り返し部、２２ｂｆ  折り返し部、
３１  腹側胴回り弾性部材、３２  背側胴回り弾性部材、
３３  脚回り弾性部材、３３ｅｆ  腹側端（所定位置）、
３５  防漏壁弾性部材、
５０  防漏壁部、
ＢＨ  胴回り開口、ＬＨ  脚回り開口、
ＣＬ  中央位置、
ＭＮ  最狭位置、
ＳＰ  便収容空間、
【図１】
2020058767.tif 000003
【図２】
2020058767.tif 000004
【図３】
2020058767.tif 000005
【図４】
2020058767.tif 000006
【図５】
2020058767.tif 000007